(57)【要約】【課題】フレキシブルプリント基板を拡幅することなく、配線抵抗を低減可能な蓄電モジュールを提供すること。【解決手段】蓄電モジュールは、配列方向Ｄ１に沿って配列された複数の蓄電セルと、監視装置１００と、複数の蓄電セルの電圧に関する信号を監視装置１００に伝達する配線８Ａ〜８Ｈを含むフレキシブルプリント基板６と、を備え、配線８Ａ〜８Ｈは、幅方向Ｄ２に沿って配列されており、配線８Ａの基部８１ａの配列方向Ｄ１における長さは、配線８Ｃの基部８１ｃの配列方向Ｄ１における長さよりも短く、基部８１ｃは、基部８１ａの配線幅よりも広い配線幅を有する拡幅部分８４ｃを含み、配線８Ａ〜８Ｈの基部８１ａ〜８１ｈは、幅方向Ｄ２において所定の長さを有する範囲内に設けられており、所定の長さは、端部６１ａにおいて基部８１ａ〜８１ｈが設けられている範囲の幅方向Ｄ２における長さである。【選択図】図３
2020113497.tif 000002
【特許請求の範囲】
【請求項１】
第１方向に沿って配列された複数の蓄電セルと、
前記第１方向において前記複数の蓄電セルと隣り合い、前記複数の蓄電セルの状態を監視する監視装置と、
前記複数の蓄電セルの電圧に関する信号を前記監視装置に伝達する複数の配線を含むフレキシブルプリント基板と、
を備え、
前記複数の配線は、前記第１方向と交差する第２方向に沿って配列されており、
前記複数の配線のそれぞれは、前記フレキシブルプリント基板の端部において前記監視装置に接続されるとともに前記第１方向に沿って前記監視装置から延びる基部と、前記基部から前記第２方向に向かって折れ曲がるとともに前記複数の蓄電セルのうちのいずれかに接続される枝部と、を含み、
前記複数の配線は、第１配線と、第２配線と、を含み、
前記第１配線の前記基部である第１基部の前記第１方向における長さは、前記第２配線の前記基部である第２基部の前記第１方向における長さよりも短く、
前記第２基部は、前記第１基部の配線幅よりも広い配線幅を有する拡幅部分を含み、
前記複数の配線の前記基部は、前記第２方向において所定の長さを有する範囲内に設けられており、
前記所定の長さは、前記端部において前記複数の配線の基部が設けられている範囲の前記第２方向における長さである、蓄電モジュール。
【請求項２】
前記第２基部は、前記第１基部よりも前記第１方向に延びる延長部分を含み、
前記拡幅部分は、前記延長部分に位置する、請求項１に記載の蓄電モジュール。
【請求項３】
前記複数の配線は、第３配線をさらに含み、
前記第３配線の前記基部である第３基部の前記第１方向における長さは、前記第２基部の前記第１方向における長さよりも長く、
前記第３基部は、前記拡幅部分の配線幅よりも広い配線幅を有する別の拡幅部分を含む、請求項１又は請求項２に記載の蓄電モジュール。
【請求項４】
前記第３基部は、前記第２基部よりも前記第１方向に延びる別の延長部分を含み、
前記別の拡幅部分は、前記別の延長部分に位置する、請求項３に記載の蓄電モジュール。
【請求項５】
前記拡幅部分は、前記第１配線の配線抵抗と前記第２配線の配線抵抗とが互いに等しくなるように設けられる、請求項１〜請求項４のいずれか一項に記載の蓄電モジュール。
【請求項６】
第１方向に沿って配列された複数の蓄電セルの電圧に関する信号を、前記第１方向において前記複数の蓄電セルと隣り合う監視装置に伝達する複数の配線を含むフレキシブルプリント基板であって、
前記複数の配線は、前記第１方向と交差する第２方向に沿って配列されており、
前記複数の配線のそれぞれは、前記フレキシブルプリント基板の端部において前記監視装置に接続されるとともに前記第１方向に沿って前記監視装置から延びる基部と、前記基部から前記第２方向に向かって折れ曲がるとともに前記複数の蓄電セルのうちのいずれかに接続される枝部と、を含み、
前記複数の配線は、第１配線と、第２配線と、を含み、
前記第１配線の前記基部である第１基部の前記第１方向における長さは、前記第２配線の前記基部である第２基部の前記第１方向における長さよりも短く、
前記第２基部は、前記第１基部の配線幅よりも広い配線幅を有する拡幅部分を含み、
前記複数の配線の前記基部は、前記第２方向において所定の長さを有する範囲内に設けられており、
前記所定の長さは、前記端部において前記複数の配線の基部が設けられている範囲の前記第２方向における長さである、フレキシブルプリント基板。
【発明の詳細な説明】
【技術分野】
【０００１】
本発明の一側面は、蓄電モジュール及びフレキシブルプリント基板に関する。
【背景技術】
【０００２】
従来、電池の電圧を測定するための電圧検知線を備えた蓄電モジュールが知られている。例えば、特許文献１には、フレキシブルプリント基板に電圧検知線が設けられた構成が開示されている。
【先行技術文献】
【特許文献】
【０００３】
【特許文献１】特開２０１３−１０５５２２号公報
【発明の概要】
【発明が解決しようとする課題】
【０００４】
一般に、フレキシブルプリント基板の配線抵抗は、ワイヤーハーネスの配線抵抗よりも大きい。また、電圧検知線の配線長が長いほど配線抵抗は大きくなる。このため、電圧検知線における電圧降下に起因して、電池の電圧が実際よりも低く測定されるおそれがある。配線抵抗を低減するために、配線幅（パターン幅）を広げることが考えられる。しかしながら、配線幅を広げることによってフレキシブルプリント基板の幅が広がり、フレキシブルプリント基板のコストが増加するおそれがある。
【０００５】
本発明の一側面は、フレキシブルプリント基板を拡幅することなく、配線抵抗を低減可能な蓄電モジュール及びフレキシブルプリント基板を提供することを目的とする。
【課題を解決するための手段】
【０００６】
本発明の一側面に係る蓄電モジュールは、第１方向に沿って配列された複数の蓄電セルと、第１方向において複数の蓄電セルと隣り合い、複数の蓄電セルの状態を監視する監視装置と、複数の蓄電セルの電圧に関する信号を監視装置に伝達する複数の配線を含むフレキシブルプリント基板と、を備える。複数の配線は、第１方向と交差する第２方向に沿って配列されている。複数の配線のそれぞれは、フレキシブルプリント基板の端部において監視装置に接続されるとともに第１方向に沿って監視装置から延びる基部と、基部から第２方向に向かって折れ曲がるとともに複数の蓄電セルのうちのいずれかに接続される枝部と、を含む。複数の配線は、第１配線と、第２配線と、を含む。第１配線の基部である第１基部の第１方向における長さは、第２配線の基部である第２基部の第１方向における長さよりも短い。第２基部は、第１基部の配線幅よりも広い配線幅を有する拡幅部分を含む。複数の配線の基部は、第２方向において所定の長さを有する範囲内に設けられている。所定の長さは、端部において複数の配線の基部が設けられている範囲の第２方向における長さである。
【０００７】
この蓄電モジュールでは、フレキシブルプリント基板が、第１方向に沿って配列された複数の蓄電セルの電圧に関する信号を、第１方向において複数の蓄電セルと隣り合う監視装置に伝達する複数の配線を含む。第２配線の第２基部の第１方向における長さが第１配線の第１基部の第１方向における長さよりも長いものの、第２基部は、第１基部の配線幅よりも広い配線幅を有する拡幅部分を含む。このため、第２配線の配線長に起因する配線抵抗の増加を軽減することができる。また、複数の配線の基部は、第２方向において、フレキシブルプリント基板の端部における複数の配線の基部が設けられている範囲内に設けられる。以上のことから、フレキシブルプリント基板を拡幅することなく、配線抵抗を低減することが可能となる。
【０００８】
第２基部は、第１基部よりも第１方向に延びる延長部分を含んでもよい。拡幅部分は、延長部分に位置してもよい。第１配線は、第２基部の延長部分と並設されていないので、第２方向において第１配線が設けられていない空間が生じる。このため、第２基部の延長部分に拡幅部分を設けることで、上記空間を有効に利用することが可能となる。
【０００９】
複数の配線は、第３配線をさらに含んでもよい。第３配線の基部である第３基部の第１方向における長さは、第２基部の第１方向における長さよりも長くてもよい。第３基部は、拡幅部分の配線幅よりも広い配線幅を有する別の拡幅部分を含んでもよい。この場合、第３配線の第３基部の第１方向における長さが第２配線の第２基部の第１方向における長さよりも長いものの、第３基部は、第２基部の拡幅部分の配線幅よりも広い配線幅を有する別の拡幅部分を含む。このため、第３配線の配線長に起因する配線抵抗の増加を軽減することができる。
【００１０】
第３基部は、第２基部よりも第１方向に延びる別の延長部分を含んでもよい。別の拡幅部分は、別の延長部分に位置してもよい。この場合、第１配線及び第２配線は、第３基部の別の延長部分と並設されていないので、第２方向においてさらなる空間が生じる。このため、第３基部の別の延長部分に別の拡幅部分を設けることで、上記空間を有効に利用することが可能となる。
【００１１】
拡幅部分は、第１配線の配線抵抗と第２配線の配線抵抗とが互いに等しくなるように設けられてもよい。この場合、第１配線における電圧降下と第２配線における電圧降下とが互いに等しくなり得る。このため、第１配線を介した電圧測定精度と第２配線を介した電圧測定精度とのばらつきを抑制することが可能となる。
【００１２】
本発明の別の側面に係るフレキシブルプリント基板は、第１方向に沿って配列された複数の蓄電セルの電圧に関する信号を、第１方向において複数の蓄電セルと隣り合う監視装置に伝達する複数の配線を含む基板である。複数の配線は、第１方向と交差する第２方向に沿って配列されている。複数の配線のそれぞれは、フレキシブルプリント基板の端部において監視装置に接続されるとともに第１方向に沿って監視装置から延びる基部と、基部から第２方向に向かって折れ曲がるとともに複数の蓄電セルのうちのいずれかに接続される枝部と、を含む。複数の配線は、第１配線と、第２配線と、を含む。第１配線の基部である第１基部の第１方向における長さは、第２配線の基部である第２基部の第１方向における長さよりも短い。第２基部は、第１基部の配線幅よりも広い配線幅を有する拡幅部分を含む。複数の配線の基部は、第２方向において所定の長さを有する範囲内に設けられている。所定の長さは、端部において複数の配線の基部が設けられている範囲の第２方向における長さである。
【００１３】
このフレキシブルプリント基板は、第１方向に沿って配列された複数の蓄電セルの電圧に関する信号を、第１方向において複数の蓄電セルと隣り合う監視装置に伝達する複数の配線を含む。第２配線の第２基部の第１方向における長さが第１配線の第１基部の第１方向における長さよりも長いものの、第２基部は、第１基部の配線幅よりも広い配線幅を有する拡幅部分を含む。このため、第２配線の配線長に起因する配線抵抗の増加を軽減することができる。また、複数の配線の基部は、第２方向において、フレキシブルプリント基板の端部における複数の配線の基部が設けられている範囲内に設けられる。以上のことから、フレキシブルプリント基板を拡幅することなく、配線抵抗を低減することが可能となる。
【発明の効果】
【００１４】
本発明の一側面によれば、フレキシブルプリント基板を拡幅することなく、配線抵抗を低減することができる。
【図面の簡単な説明】
【００１５】
【図１】図１は、一実施形態に係る蓄電モジュールを模式的に示す平面図である。
【図２】図２は、図１のＩＩ−ＩＩ線に沿った断面図である。
【図３】図３は、フレキシブルプリント基板における配線パターンの一例を模式的に示す平面図である。
【図４】図４は、フレキシブルプリント基板における配線パターンの別の例を模式的に示す平面図である。
【発明を実施するための形態】
【００１６】
以下、添付図面を参照しながら本発明の実施形態が詳細に説明される。図面の説明において、同一又は同等の要素には同一符号が用いられ、重複する説明は省略される。図面にはＸＹＺ直交座標系が示される。
【００１７】
図１は、一実施形態に係る蓄電モジュールを模式的に示す平面図である。図２は、図１のＩＩ−ＩＩ線に沿った断面図（ＸＺ断面図）である。図１及び図２に示されるように、蓄電モジュール１は、配列体２と、弾性部材３と、拘束部材４と、排煙ダクト５と、フレキシブルプリント基板６と、監視装置１００と、を備え得る。
【００１８】
蓄電モジュール１は、例えばフォークリフト、ハイブリッド自動車、及び電気自動車等の各種車両のバッテリとして用いられる。蓄電モジュール１は、例えばリチウムイオン二次電池等の非水電解質二次電池であるが、電気二重層キャパシタであってもよい。
【００１９】
配列体２は、配列方向Ｄ１（Ｙ軸方向；第１方向）に沿って配列された複数の蓄電セル（本実施形態では、蓄電セル１１Ａ〜１１Ｇ）を備える。蓄電セル１１Ａ〜１１Ｇは、その順に配列されている。蓄電セル１１Ａ〜１１Ｇのそれぞれは、例えば、矩形箱状のケースと、ケース内に収容された電極組立体と、を備える単電池である。蓄電セル１１Ａ〜１１Ｇのそれぞれは、樹脂製のセルホルダに保持されてもよい。蓄電セル１１Ａ〜１１Ｇのそれぞれの上面（表面）１１ｄには、正極端子１１ａ及び負極端子１１ｂが互いに離間して設けられている。正極端子１１ａは、電極組立体の正極に接続された電極端子である。負極端子１１ｂは、電極組立体の負極に接続された電極端子である。
【００２０】
隣り合う２つの蓄電セルは、正極端子１１ａと負極端子１１ｂとが互いに隣り合うように配列され、隣り合う正極端子１１ａと負極端子１１ｂとがバスバー１２によって互いに電気的に接続されている。これにより、隣り合う２つの蓄電セルが電気的に直列に接続される。正極端子１１ａ及び負極端子１１ｂは、ボルトによってバスバー１２に接続されてもよいし、溶接によってバスバー１２に接続されてもよい。配列体２に含まれる複数の蓄電セルのうち、配列方向Ｄ１における一端に位置する蓄電セル１１Ａの負極端子１１ｂと、配列方向Ｄ１における他端に位置する蓄電セル１１Ｇの正極端子１１ａとには、例えば板状の導電部材である外部接続端子１３がそれぞれ接続されている。
【００２１】
蓄電セル１１Ａ〜１１Ｇのそれぞれは、安全弁１１ｃを有している。安全弁１１ｃは、例えば上面１１ｄに設けられる。安全弁１１ｃは、蓄電セル内のガス圧力が予め定められた値を超えた場合にガスを外部に放出する。安全弁１１ｃは、上面１１ｄにおいて、正極端子１１ａと負極端子１１ｂとの間に配置される。よって、複数の安全弁１１ｃが配列方向Ｄ１に沿って配列される。
【００２２】
弾性部材３は、配列方向Ｄ１において、配列体２の一端に配置されている。弾性部材３は、拘束荷重による蓄電セル１１Ａ〜１１Ｇの破損を防止する目的で用いられる部材であり、例えばウレタン製のゴムスポンジから構成されている。弾性部材３は、矩形の板状部材である。弾性部材３の材料としては、例えばエチレンプロピレンジエンゴム（ＥＰＤＭ）、クロロプレンゴム、及びシリコンゴム等が挙げられる。弾性部材３は、ゴムに限られず、バネ材等であってもよい。弾性部材３は、配列方向Ｄ１における配列体２の両端に配置されていてもよく、互いに隣り合う２つの蓄電セル間に配置されていてもよい。
【００２３】
拘束部材４は、配列方向Ｄ１に沿って配列体２に拘束荷重を付加するための部材である。拘束部材４は、一対のエンドプレート４１と、複数の連結部材４２と、を備えている。一対のエンドプレート４１は、配列体２を配列方向Ｄ１の両側から挟持するための部材である。エンドプレート４１は、鉄等の金属材料からなる板状部材である。
【００２４】
連結部材４２は、一対のエンドプレート４１同士を連結する。連結部材４２は、例えば鉄等の金属から構成されたボルト及びナットによって構成されている。各連結部材４２のボルトは、一方のエンドプレート４１の挿通孔、各セルホルダの挿通孔、及び他方のエンドプレート４１の挿通孔に順次挿通され、他方のエンドプレート４１の外側でナットにより締結されている。この締結によって配列体２に対して配列方向Ｄ１に拘束荷重が付加される。
【００２５】
排煙ダクト５は、蓄電セル１１Ａ〜１１Ｇから放出されたガスを蓄電モジュール１の外部に排出するための部材である。排煙ダクト５は、配列方向Ｄ１に延在し、複数の安全弁１１ｃを覆う。排煙ダクト５は、正極端子１１ａと負極端子１１ｂとの間に配置され得る。例えば、排煙ダクト５は、セルホルダ等に固定されてもよい。排煙ダクト５は、例えば樹脂製の部材である。排煙ダクト５は、側板５１と、側板５２と、上板５３と、を有する。上板５３は、側板５１と側板５２との間に延在し、安全弁１１ｃと向かい合うように配置される。安全弁１１ｃから放出されるガスは、排煙ダクト５の側板５１，５２及び上板５３と、蓄電セル１１Ａ〜１１Ｇの上面１１ｄとによって画定される（囲まれる）内部空間Ｖを通って外部に排出される。配列方向Ｄ１と交差（直交）する排煙ダクト５の断面における空間領域は、例えば矩形状であるが、上板５３から蓄電セル１１Ａ〜１１Ｇの上面１１ｄに向かうに連れて幅が広がる台形状であってもよい。
【００２６】
排煙ダクト５は、側板５１の下端から外側に広がる底板５４と、側板５２の下端から外側に広がる底板５５と、を有してもよい。底板５４，５５は、それぞれ側板５１，５２と交差する方向に延在し、蓄電セル１１Ａ〜１１Ｇの上面１１ｄ上に載置される。底板５４，５５によって、排煙ダクト５は、蓄電セル１１Ａ〜１１Ｇの上面１１ｄ上に安定して載置され得る。
【００２７】
フレキシブルプリント基板６は、例えば排煙ダクト５の上板５３上に設けられる。フレキシブルプリント基板６は蓄電セル１１Ａ〜１１Ｇに接続される。本実施形態では、フレキシブルプリント基板６は、部品が実装される実装面６ａと、実装面６ａと反対側の非実装面６ｂと、を有する。つまり、フレキシブルプリント基板６は、実装面６ａのみに部品が実装される片面型の基板である。
【００２８】
フレキシブルプリント基板６は、排煙ダクト５上に設けられ配列方向Ｄ１に延在する本体部６１と、本体部６１から分岐して延びる複数の分岐部６２Ａと、本体部６１から分岐して延びる複数の分岐部６２Ｂと、を備える。本体部６１は、例えば接着材等により排煙ダクト５の上板５３に固定される。本体部６１の非実装面６ｂは蓄電セル１１Ａ〜１１Ｇの上面１１ｄと向かい合う。本体部６１の実装面６ａは蓄電セル１１Ａ〜１１Ｇとは反対側を向く。本体部６１の配列方向Ｄ１における一方の端部６１ａは、監視装置１００のコネクタ１０１に接続される。
【００２９】
分岐部６２Ａは、蓄電セルの温度を監視するための部分である。分岐部６２Ａの先端には、蓄電セルの温度を検知するためのサーミスタ６４が電気的に接続される。サーミスタ６４は、分岐部６２Ａの先端を介して蓄電セル（図１の例では、蓄電セル１１Ｃ，１１Ｆ）の上面１１ｄに取り付けられる。分岐部６２Ｂは、蓄電セル１１Ａ〜１１Ｇの電圧を監視するための部分である。分岐部６２Ｂは、バスバー１２又は外部接続端子１３に電気的に接続される。各分岐部６２Ａ，６２Ｂの根元（基端）は本体部６１に接続される。各分岐部６２Ａ，６２Ｂは、フレキシブルプリント基板６の一部に切れ込みを入れることによって形成された部分であってもよい。フレキシブルプリント基板６は、複数の絶縁フィルム間に挟まれた複数の配線を有している。各配線は例えば銅配線である。
【００３０】
本体部６１の実装面６ａには、複数のヒューズ６３が実装され得る。各ヒューズ６３は、本体部６１の実装面６ａにおいて絶縁フィルムに形成された開口から露出した各配線に接続される。ヒューズ６３に電気的に接続された各配線（配線８Ａ〜８Ｈ）は、各分岐部６２Ｂの先端における実装面６ａにおいて露出しており、例えばリベット接続、溶接、又ははんだ接続等によってバスバー１２又は外部接続端子１３に接続される。本実施形態では、ヒューズ６３は、バスバー１２又は外部接続端子１３に接続された分岐部６２Ｂの基端に配置される。配線８Ａ〜８Ｈは、それぞれ蓄電セル１１Ａ〜１１Ｇの電圧に関する信号を監視装置１００に伝達する。配線８Ａ〜８Ｈの詳細は後述する。
【００３１】
監視装置１００は、蓄電モジュール１を監視する装置である。例えば、監視装置１００は、複数の蓄電セルの状態を監視する。監視装置１００は、プリント配線板とプリント配線板に実装された部品（例えば半導体チップ）とによって構成され得る。監視装置１００は、配列方向Ｄ１において配列体２と隣り合い、一端に位置するエンドプレート４１の外側に位置する。監視装置１００は、コネクタ１０１と、監視回路１０３と、電源回路１０４と、を備える。コネクタ１０１には、フレキシブルプリント基板６が接続される。これにより、蓄電セルの電圧及び温度に関する信号が、フレキシブルプリント基板６を介して監視装置１００に送られる。監視回路１０３は、蓄電セルの電圧及び温度を監視する回路である。監視回路１０３は、複数の配線１０１ａによりコネクタ１０１と接続される。電源回路１０４は、監視回路１０３に電力を供給する回路である。
【００３２】
図３をさらに参照して、フレキシブルプリント基板における配線パターンを詳細に説明する。図３は、フレキシブルプリント基板における配線パターンの一例を模式的に示す平面図である。なお、図３では、バスバー１２又は外部接続端子１３に接続される配線８Ａ〜８Ｈのみが示されており、サーミスタ６４に接続される配線及びヒューズ６３の図示は省略されている。
【００３３】
図１及び図３に示されるように、配線８Ａ〜８Ｈは、配列方向Ｄ１と交差（直交）する幅方向Ｄ２（Ｘ軸方向；第２方向）に沿って配列されている。具体的には、本体部６１の幅方向Ｄ２における一端から他端に向かって、配線８Ａ、配線８Ｃ、配線８Ｅ、配線８Ｇ、配線８Ｈ、配線８Ｆ、配線８Ｄ、及び配線８Ｂの順に配列されている。
【００３４】
配線８Ａ（第１配線）は、複数の蓄電セルのうち、監視装置１００から最も近い蓄電セル１１Ａの負極端子１１ｂに接続された外部接続端子１３に接続される。配線８Ｂ（第１配線）は、蓄電セル１１Ａの正極端子１１ａ及び蓄電セル１１Ｂの負極端子１１ｂに接続されたバスバー１２に接続される。配線８Ｃ（第２配線）は、蓄電セル１１Ｂの正極端子１１ａ及び蓄電セル１１Ｃの負極端子１１ｂに接続されたバスバー１２に接続される。配線８Ｄ（第２配線）は、蓄電セル１１Ｃの正極端子１１ａ及び蓄電セル１１Ｄの負極端子１１ｂに接続されたバスバー１２に接続される。
【００３５】
配線８Ｅ（第３配線）は、蓄電セル１１Ｄの正極端子１１ａ及び蓄電セル１１Ｅの負極端子１１ｂに接続されたバスバー１２に接続される。配線８Ｆ（第３配線）は、蓄電セル１１Ｅの正極端子１１ａ及び蓄電セル１１Ｆの負極端子１１ｂに接続されたバスバー１２に接続される。配線８Ｇは、蓄電セル１１Ｆの正極端子１１ａ及び蓄電セル１１Ｇの負極端子１１ｂに接続されたバスバー１２に接続される。配線８Ｈは、複数の蓄電セルのうち、監視装置１００から最も遠い蓄電セル１１Ｇの正極端子１１ａに接続された外部接続端子１３に接続される。
【００３６】
配線８Ａ〜８Ｈは、基部８１ａ〜８１ｈと、枝部８２ａ〜８２ｈと、をそれぞれ含む。基部８１ａ〜８１ｈのそれぞれは、配列方向Ｄ１に沿って監視装置１００から延びる部分である。基部８１ａ〜８１ｈのそれぞれの一端は、フレキシブルプリント基板６の端部６１ａにおいて監視装置１００（コネクタ１０１）に接続される。枝部８２ａ〜８２ｈは、基部８１ａ〜８１ｈの他端からそれぞれ幅方向Ｄ２に向かって折れ曲がるとともに蓄電セル１１Ａ〜１１Ｇの少なくともいずれか１つにバスバー１２又は外部接続端子１３を介して接続される。
【００３７】
基部８１ａ〜８１ｈの配列方向Ｄ１における長さは、その順に長くなる。つまり、配線８Ａの基部８１ａ（第１基部）の配列方向Ｄ１における長さが他の配線８Ｂ〜８Ｈの基部８１ｂ〜８１ｈの配列方向Ｄ１における長さよりも短く、配線８Ｂの基部８１ｂ（第１基部）の配列方向Ｄ１における長さが２番目に短い。配線８Ｃの基部８１ｃ（第２基部）は、配線８Ａの基部８１ａよりも配列方向Ｄ１に延びる延長部分８３ｃを有する。配線８Ｄの基部８１ｄ（第２基部）は、配線８Ｂの基部８１ｂよりも配列方向Ｄ１に延びる延長部分８３ｄを有する。配線８Ｅの基部８１ｅ（第３基部）は、配線８Ｃの基部８１ｃよりも配列方向Ｄ１に延びる延長部分８３ｅ（別の延長部分）を有する。配線８Ｆの基部８１ｆ（第３基部）は、配線８Ｄの基部８１ｄよりも配列方向Ｄ１に延びる延長部分８３ｆ（別の延長部分）を有する。配線８Ｇの基部８１ｇは、配線８Ｅの基部８１ｅよりも配列方向Ｄ１に延びる延長部分を有する。配線８Ｈの基部８１ｈは、配線８Ｆの基部８１ｆよりも配列方向Ｄ１に延びる延長部分を有する。
【００３８】
幅方向Ｄ２における両端に位置する配線８Ａ，８Ｂの配線幅は、基部及び枝部の全体に亘って略一定である。配線８Ｃは、基部８１ｃの一部が拡幅した拡幅部分８４ｃを有する。拡幅部分８４ｃは、延長部分８３ｃに位置する。本実施形態では、延長部分８３ｃの全体が拡幅部分８４ｃを構成している。拡幅部分８４ｃの配線幅は、配線８Ａ（基部８１ａ）の配線幅よりも広い。拡幅部分８４ｃは、配線８Ａが折れ曲がることにより幅方向Ｄ２において生じた空間に向けて広がっている。つまり、拡幅部分８４ｃは、幅方向Ｄ２において外側に向けて広がっている。配線８Ｃの拡幅部分８４ｃを除く部分の配線幅は略一定であり、配線８Ａ，８Ｂの配線幅と略等しい。
【００３９】
配線８Ｄは、基部８１ｄの一部が拡幅した拡幅部分８４ｄを有する。拡幅部分８４ｄは、延長部分８３ｄに位置する。本実施形態では、延長部分８３ｄの全体が拡幅部分８４ｄを構成している。拡幅部分８４ｄの配線幅は、配線８Ｂ（基部８１ｂ）の配線幅よりも広い。拡幅部分８４ｄは、配線８Ｂが折れ曲がることにより幅方向Ｄ２において生じた空間に向けて広がっている。つまり、拡幅部分８４ｄは、幅方向Ｄ２において外側に向けて広がっている。配線８Ｄの拡幅部分８４ｄを除く部分の配線幅は略一定であり、配線８Ａ，８Ｂの配線幅と略等しい。
【００４０】
配線８Ｅは、基部８１ｅの一部が拡幅した拡幅部分８４ｅ（別の拡幅部分）を有する。拡幅部分８４ｅは、延長部分８３ｅに位置する。本実施形態では、延長部分８３ｅの全体が拡幅部分８４ｅを構成している。拡幅部分８４ｅの配線幅は、拡幅部分８４ｃの配線幅よりも広い。拡幅部分８４ｅは、配線８Ｃが折れ曲がることにより幅方向Ｄ２において生じた空間（配線８Ａ，８Ｃの２本分の空間）に向けて広がっている。つまり、拡幅部分８４ｅは、幅方向Ｄ２において外側に向けて広がっている。配線８Ｅの拡幅部分８４ｅを除く部分の配線幅は略一定であり、配線８Ａ，８Ｂの配線幅と略等しい。
【００４１】
配線８Ｆは、基部８１ｆの一部が拡幅した拡幅部分８４ｆ（別の拡幅部分）を有する。拡幅部分８４ｆは、延長部分８３ｆに位置する。本実施形態では、延長部分８３ｆの全体が拡幅部分８４ｆを構成している。拡幅部分８４ｆの配線幅は、拡幅部分８４ｄの配線幅よりも広い。拡幅部分８４ｆは、配線８Ｄが折れ曲がることにより幅方向Ｄ２において生じた空間（配線８Ｂ，８Ｄの２本分の空間）に向けて広がっている。つまり、拡幅部分８４ｆは、幅方向Ｄ２において外側に向けて広がっている。配線８Ｆの拡幅部分８４ｆを除く部分の配線幅は略一定であり、配線８Ａ，８Ｂの配線幅と略等しい。なお、配線８Ｇ，８Ｈも同様に拡幅部分を有するが、詳細な説明を省略する。また、幅方向Ｄ２に互いに隣り合う２つの基部間の離間距離は、略一定である。
【００４２】
配線８Ａ〜８Ｈの基部８１ａ〜８１ｈは、幅方向Ｄ２において所定の長さ（幅Ｗ１１）を有する範囲内に設けられている。幅Ｗ１１は、端部６１ａにおいて、基部８１ａ〜８１ｈが設けられている領域の幅方向Ｄ２における長さ（幅）である。具体的に説明すると、基部８１ａ〜８１ｈが並設されている部分では、幅方向Ｄ２における両端に基部８１ａ，８１ｂが位置する。このため、当該部分では、基部８１ａの外縁から基部８１ｂの外縁までの距離が幅Ｗ１１以内（本実施形態では幅Ｗ１１と同じ）である。また、基部８１ｂ〜８１ｈが並設されている部分では、幅方向Ｄ２における両端に拡幅部分８４ｃ及び基部８１ｂが位置する。当該部分では、拡幅部分８４ｃの外縁から基部８１ｂの外縁までの距離（幅Ｗ１２）が幅Ｗ１１以内（本実施形態では幅Ｗ１１と同じ）である。
【００４３】
同様に、基部８１ｃ〜８１ｈが並設されている部分では、拡幅部分８４ｃの外縁から拡幅部分８４ｄの外縁までの距離（幅Ｗ１３）が幅Ｗ１１以内（本実施形態では幅Ｗ１１と同じ）である。基部８１ｄ〜８１ｈが並設されている部分では、拡幅部分８４ｅの外縁から拡幅部分８４ｄの外縁までの距離（幅Ｗ１４）が幅Ｗ１１以内（本実施形態では幅Ｗ１１と同じ）である。基部８１ｅ〜８１ｈが並設されている部分では、拡幅部分８４ｅの外縁から拡幅部分８４ｆの外縁までの距離（幅Ｗ１５）が幅Ｗ１１以内（本実施形態では幅Ｗ１１と同じ）である。基部８１ｆ〜８１ｈが並設されている部分、基部８１ｇ，８１ｈが並設されている部分、及び基部８１ｈのみが設けられている部分においても、同様である。
【００４４】
以上説明したように、蓄電モジュール１では、フレキシブルプリント基板６が、配列方向Ｄ１に沿って配列された蓄電セル１１Ａ〜１１Ｇの電圧に関する信号を、配列方向Ｄ１において蓄電セル１１Ａ〜１１Ｇと隣り合う監視装置１００に伝達する配線８Ａ〜８Ｈを含む。例えば、配線８Ｃの基部８１ｃの配列方向Ｄ１における長さは配線８Ａの基部８１ａの配列方向Ｄ１における長さよりも長いものの、基部８１ｃは、基部８１ａの配線幅よりも広い配線幅を有する拡幅部分８４ｃを含む。同様に、配線８Ｄの基部８１ｄの配列方向Ｄ１における長さは配線８Ｂの基部８１ｂの配列方向Ｄ１における長さよりも長いものの、基部８１ｄは、基部８１ｂの配線幅よりも広い配線幅を有する拡幅部分８４ｄを含む。このため、配線８Ｃ，８Ｄの配線長が配線８Ａ，８Ｂの配線長よりも長いことに起因する配線抵抗の増加を軽減することができる。また、配線８Ａ〜８Ｈの基部８１ａ〜８１ｈは、幅方向Ｄ２において、フレキシブルプリント基板６の端部６１ａにおける基部８１ａ〜８１ｈが設けられている範囲内に設けられる。以上のことから、フレキシブルプリント基板６を拡幅することなく、配線抵抗を低減することが可能となる。
【００４５】
配線８Ａは、基部８１ｃの延長部分８３ｃと並設されていないので、幅方向Ｄ２において配線８Ａが設けられていない空間が生じる。基部８１ｃの延長部分８３ｃに拡幅部分８４ｃが設けられているので、上記空間を有効に利用することが可能となる。同様に、配線８Ｂは、基部８１ｄの延長部分８３ｄと並設されていないので、幅方向Ｄ２において配線８Ｂが設けられていない空間が生じる。基部８１ｄの延長部分８３ｄに拡幅部分８４ｄが設けられているので、上記空間を有効に利用することが可能となる。
【００４６】
また、配線８Ｅの基部８１ｅの配列方向Ｄ１における長さは配線８Ｃの基部８１ｃの配列方向Ｄ１における長さよりも長いものの、基部８１ｅは、基部８１ｃの拡幅部分８４ｃの配線幅よりも広い配線幅を有する拡幅部分８４ｅを含む。同様に、配線８Ｆの基部８１ｆの配列方向Ｄ１における長さは配線８Ｄの基部８１ｄの配列方向Ｄ１における長さよりも長いものの、基部８１ｆは、基部８１ｄの拡幅部分８４ｄの配線幅よりも広い配線幅を有する拡幅部分８４ｆを含む。このため、配線８Ｅ，８Ｆの配線長が配線８Ａ〜８Ｄの配線長よりも長いことに起因する配線抵抗の増加を軽減することができる。
【００４７】
配線８Ａ，８Ｃは、基部８１ｅの延長部分８３ｅと並設されていないので、幅方向Ｄ２において配線８Ａ，８Ｃが設けられていない空間が生じる。基部８１ｅの延長部分８３ｅに拡幅部分８４ｅが設けられているので、上記空間を有効に利用することが可能となる。同様に、配線８Ｂ，８Ｄは、基部８１ｆの延長部分８３ｆと並設されていないので、幅方向Ｄ２において配線８Ｂ，８Ｄが設けられていない空間が生じる。基部８１ｆの延長部分８３ｆに拡幅部分８４ｆが設けられているので、上記空間を有効に利用することが可能となる。配線８Ｇ，８Ｈについても同様である。
【００４８】
以上、本発明の一実施形態について詳細に説明されたが、本発明は上記実施形態に限定されない。
【００４９】
例えば、フレキシブルプリント基板６は、排煙ダクト５の上板５３上に設けられているが、フレキシブルプリント基板６が設けられる位置は、上板５３上でなくてもよい。
【００５０】
上記実施形態では、配線８Ａが幅方向Ｄ２に折れ曲がった後に生じた空間に、拡幅部分８４ｃが設けられているが、配線８Ｂ，８Ｄ〜８Ｈの基部を拡幅してもよい。また、各基部は、段階的に拡幅されてもよい。
【００５１】
また、配線８Ｃ〜８Ｈの拡幅部分は、配線８Ａ〜８Ｈの配線抵抗が互いに等しくなるように設けられてもよい。この場合、配線８Ａ〜８Ｈのそれぞれにおける電圧降下が互いに等しくなり得る。このため、各配線を介した電圧測定精度のばらつきを抑制することが可能となる。
【００５２】
拡幅部分が設けられる位置は、延長部分に限られない。例えば、図４に示されるように、配線の全体に亘って拡幅されていてもよい。図４に示される例では、配線８Ａ〜８Ｈの順に配線幅が広くなる。つまり、配線長が長いほど配線幅が広げられる。この場合も、幅方向Ｄ２に互いに隣り合う２つの基部間の離間距離は、略一定である。また、配線８Ａ〜８Ｈの基部８１ａ〜８１ｈは、幅方向Ｄ２において所定の長さ（幅Ｗ２１）を有する範囲内に設けられている。幅Ｗ２１は、端部６１ａにおいて、基部８１ａ〜８１ｈが設けられている領域の幅方向Ｄ２における長さ（幅）である。具体的に説明すると、基部８１ａ〜８１ｈが並設されている部分では、基部８１ａの外縁から基部８１ｂの外縁までの距離が幅Ｗ２１と同じである。
【００５３】
基部８１ｂ〜８１ｈが並設されている部分では、基部８１ｃの外縁から基部８１ｂの外縁までの距離（幅Ｗ２２）が幅Ｗ２１より狭い。基部８１ｃ〜８１ｈが並設されている部分では、基部８１ｃの外縁から基部８１ｄの外縁までの距離（幅Ｗ２３）が幅Ｗ２１，Ｗ２２より狭い。基部８１ｄ〜８１ｈが並設されている部分では、基部８１ｅの外縁から基部８１ｄの外縁までの距離（幅Ｗ２４）が幅Ｗ２１〜Ｗ２３より狭い。基部８１ｅ〜８１ｈが並設されている部分では、基部８１ｅの外縁から基部８１ｆの外縁までの距離（幅Ｗ２５）が幅Ｗ２１〜Ｗ２４より狭い。基部８１ｆ〜８１ｈが並設されている部分、基部８１ｇ，８１ｈが並設されている部分、及び基部８１ｈのみが設けられている部分においても、同様である。
【００５４】
図４に示される変形例においても、上記実施形態に係る蓄電モジュール１及びフレキシブルプリント基板６と同様の効果が奏される。また、図４に示される変形例では、配線８Ａ〜８Ｈの配線幅を調整することで、配線８Ａ〜８Ｈの配線抵抗を均一化することが可能となる。
【符号の説明】
【００５５】
１…蓄電モジュール、２…配列体、６…フレキシブルプリント基板、８Ａ，８Ｂ…配線（第１配線）、８Ｃ，８Ｄ…配線（第２配線）、８Ｅ，８Ｆ…配線（第３配線）、１１Ａ，１１Ｂ，１１Ｃ，１１Ｄ，１１Ｅ，１１Ｆ，１１Ｇ…蓄電セル、６１ａ…端部、８１ａ，８１ｂ…基部（第１基部）、８１ｃ，８１ｄ…基部（第２基部）、８１ｅ，８１ｆ…基部（第３基部）、８２ａ〜８２ｈ…枝部、８３ｃ，８３ｄ…延長部分、８３ｅ，８３ｆ…延長部分（別の延長部分）、８４ｃ，８４ｄ…拡幅部分、８４ｅ，８４ｆ…拡幅部分（別の拡幅部分）、１００…監視装置、Ｄ１…配列方向（第１方向）、Ｄ２…幅方向（第２方向）。
【図１】
2020113497.tif 000003
【図２】
2020113497.tif 000004
【図３】
2020113497.tif 000005
【図４】
2020113497.tif 000006